(57)【要約】【課題】用紙が搬送される際に用紙の表面に傷を付けずに、かつ、安定した搬送性能を有する画像形成装置を提供する。【解決手段】用紙を搬送する搬送路を有する用紙搬送装置と、搬送路の途中で用紙に画像を形成する作像部を備え、搬送路を形成したガイド面に搬送方向に延びるガイドリブ２３を搬送幅方向に複数並設した画像形成装置において、ガイドリブ２３の近傍のガイド面上に、用紙に対しガイドリブ２３よりも搬送幅方向に接触範囲が大きい補助リブ２４を配設した。【選択図】図５
2008189393.tif 000002
【特許請求の範囲】
【請求項１】
用紙を搬送する搬送路を有する用紙搬送装置と、前記搬送路の途中で用紙に画像を形成する作像部を備え、前記搬送路を形成したガイド面に搬送方向に延びるガイドリブを搬送幅方向に複数並設した画像形成装置において、
前記ガイドリブの近傍の前記ガイド面上に、用紙に対し前記ガイドリブよりも搬送幅方向に接触範囲が大きい補助リブを配設したことを特徴とする画像形成装置。
【請求項２】
前記補助リブと用紙が接触した状態で、前記補助リブの近傍にある前記ガイドリブが用紙と非接触となるように構成したことを特徴とする請求項１に記載の画像形成装置。
【請求項３】
前記補助リブを前記ガイドリブに隣接して設けたことを特徴とする請求項１又は２に記載の画像形成装置。
【請求項４】
前記用紙搬送装置が、複数種類のサイズの用紙を搬送可能であると共に、用紙サイズにかかわらず各用紙の幅方向二等分線を一致させて搬送するように構成したことを特徴とする請求項１から３のいずれか１項に記載の画像形成装置。
【請求項５】
前記ガイドリブと前記補助リブを、それぞれ前記ガイド面の搬送幅方向を二等分する中央線に対し対称に配設したことを特徴とする請求項１から４のいずれか１項に記載の画像形成装置。
【請求項６】
前記ガイドリブと前記補助リブを、それぞれ前記ガイド面の前記中央線の両側に配設したことを特徴とする請求項５に記載の画像形成装置。
【請求項７】
隣り合った前記ガイドリブの間隔寸法のうち、前記ガイド面の搬送幅方向の中央に位置する前記間隔寸法を、それ以外の前記間隔寸法よりも大きく設定した請求項６に記載の画像形成装置。
【請求項８】
前記補助リブを配設した前記ガイド面を、前記搬送路の屈曲部に配置したことを特徴とする請求項１から７のいずれか１項に記載の画像形成装置。
【請求項９】
前記補助リブを、官製はがきの搬送幅方向領域内に配設したことを特徴とする請求項１から８のいずれか１項に記載の画像形成装置。
【請求項１０】
前記補助リブを、前記ガイド面の搬送幅方向を二等分する中央線から幅方向両側へ５０ｍｍ以内に配設したことを特徴とする請求項１から９のいずれか１項に記載の画像形成装置。
【請求項１１】
用紙を搬送する搬送路を有する用紙搬送装置と、前記搬送路の途中で用紙に画像を形成する作像部を備え、前記搬送路の屈曲部を形成した凹ガイド面に、両面印刷用の反転路の入口を形成し、前記搬送路の上流側から前記反転路の入口へ至る分岐直前部のガイド面に、搬送方向に延びるガイドリブを搬送幅方向に複数並設した画像形成装置において、
前記ガイドリブの近傍のガイド面上に、用紙に対し前記ガイドリブよりも搬送幅方向に接触範囲が大きい補助リブを配設したことを特徴とする画像形成装置。
【請求項１２】
前記ガイドリブ及び前記補助リブが用紙と接触するそれぞれの最下流の接触端部のうち、前記ガイド面の搬送幅方向の中央寄りにある前記接触端部を、前記搬送幅方向の中央から幅方向両側へ離れた位置にある前記接触端部より上流側に配置したことを特徴とする請求項１１に記載の画像形成装置。
【請求項１３】
用紙を搬送する搬送路を有する用紙搬送装置と、前記搬送路の途中で用紙にトナー画像を転写する作像部と、前記作像部によって形成された用紙上のトナー画像を加熱定着する定着装置を備え、前記定着装置の上方にある前記搬送路を形成したガイド面に搬送方向に延びるガイドリブを搬送幅方向に複数並設した画像形成装置において、
前記ガイドリブの近傍の前記ガイド面上に、用紙に対し前記ガイドリブよりも搬送幅方向に接触範囲が大きい補助リブを配設し、前記補助リブと用紙が搬送幅方向に線接触するように、又は、搬送幅方向に複数箇所で点接触するように構成したことを特徴とする画像形成装置。
【発明の詳細な説明】
【技術分野】
【０００１】
本発明は、複写機、プリンタ、ファクシミリ、これらの複合機能を備えた機器等の画像形成装置に関する。
【背景技術】
【０００２】
複写機、プリンタ、ファクシミリ、あるいはこれらの複合機等の画像形成装置において、一般的に、用紙カセットに収容された用紙を、給紙部にて用紙搬送装置側に送り出し、そして、用紙搬送装置内の搬送路を搬送される用紙に作像部にて画像が形成され、この画像が形成された用紙が排紙トレイへと送り出されるように構成されている。
【０００３】
用紙搬送装置内の用紙搬送路の一部には、用紙を案内するためのガイド部材が設けられている。このガイド部材には、例えば、プラスチック製の板状の部材を用いているが、ガイド部材のガイド面が平坦であると、用紙とガイド面との接触抵抗が大きくなり、用紙を安定して搬送できず用紙ジャムの発生頻度が多くなるといった欠点がある。また、平坦なガイド面を有するガイド部材が定着装置の上方にある場合は、定着装置が用紙上のトナー画像を加熱定着したときに発生する水蒸気によりガイド面に結露が生じ易い。そして、搬送する用紙がそのガイド面に接触すると、濡れてしまうといった問題もある。
【０００４】
このため、ガイド面に搬送方向に延びるガイドリブを搬送幅方向に複数条設けることで、用紙との接触面積を小さくして搬送抵抗を小さくし、さらに、結露による用紙の濡れを防止している（例えば、特許文献１又は特許文献２参照）。
【特許文献１】特開２００６−３０２７４号公報
【特許文献２】特開２００５−１３８９６９号公報
【発明の開示】
【発明が解決しようとする課題】
【０００５】
昨今、画像形成装置はさらなる小型化が求められており、画像形成装置の小型化を図ると、画像形成装置内に設ける用紙搬送路の一部を、大きく屈曲させざるを得ない箇所が生じてくる。そして、このような屈曲した搬送路では、用紙がガイドリブに強く接触しながら搬送される。特に、厚くコシの強い用紙を用いた官製はがき等を搬送する場合は、ガイドリブとの接触面圧が大きいので、用紙がガイドリブに接触した際に用紙表面にスジ状の傷が付き体裁が悪くなる。また、前記特許文献２に示すような両面画像形成装置を用いて両面印刷をする場合は、傷の付いた面にも印刷されるので、印刷品質が低下するといった問題があった。
【０００６】
本発明は、斯かる事情に鑑み、簡単な構成にて用紙が搬送される際に用紙の表面に傷を付けずに、かつ、安定した搬送性能を有する画像形成装置を提供しようとするものである。
【課題を解決するための手段】
【０００７】
請求項１の発明は、用紙を搬送する搬送路を有する用紙搬送装置と、前記搬送路の途中で用紙に画像を形成する作像部を備え、前記搬送路を形成したガイド面に搬送方向に延びるガイドリブを搬送幅方向に複数並設した画像形成装置において、前記ガイドリブの近傍の前記ガイド面上に、用紙に対し前記ガイドリブよりも搬送幅方向に接触範囲が大きい補助リブを配設したものである。
【０００８】
用紙を補助リブに搬送幅方向に広く接触させることで、接触圧を低減させて搬送すると共に、用紙がガイドリブに強く圧接することを防止する。
【０００９】
請求項２の発明は、請求項１に記載の画像形成装置において、前記補助リブと用紙が接触した状態で、前記補助リブの近傍にある前記ガイドリブが用紙と非接触となるように構成したものである。
【００１０】
用紙を補助リブに接触させることで、用紙がガイドリブに強く圧接されるのを確実に避けることができる。
【００１１】
請求項３の発明は、請求項１又は２に記載の画像形成装置において、前記補助リブを前記ガイドリブに隣接して設けたものである。
【００１２】
用紙がガイドリブに強く圧接することを確実に防止することができる。また、搬送幅方向の狭い範囲に、補助リブを効率良く配設することができる。
【００１３】
請求項４の発明は、請求項１から３のいずれか１項に記載の画像形成装置において、前記用紙搬送装置が、複数種類のサイズの用紙を搬送可能であると共に、用紙サイズにかかわらず各用紙の幅方向二等分線を一致させて搬送するように構成したものである。
【００１４】
用紙のスキューを防止するために、補助リブは用紙の幅方向二等分線に対し対称に配設することが望まれるが、用紙サイズにかかわらず各用紙の幅方向二等分線を一致させて搬送するセンター基準であれば、補助リブをスキュー防止のための位置に配設し易い。すなわち、センター基準の場合は、補助リブを特定サイズの用紙の前記幅方向二等分線に対し対称に配置すれば、他のサイズの用紙の幅方向二等分線に対しても対称に配置されることとなる。これに対し、各サイズの用紙の左端部又は右端部を一致させて搬送する端部基準の場合は、補助リブを特定サイズの用紙の幅方向二等分線に対し対称に配置しても、必ずしも他のサイズの用紙の幅方向二等分線に対し対称に配設されていることにはならない。このように、センター基準であることは、補助リブの配設位置を調整し易く、かつ、用紙のスキュー防止を図り易い点でメリットがある。
【００１５】
請求項５の発明は、請求項１から４のいずれか１項に記載の画像形成装置において、前記ガイドリブと前記補助リブを、それぞれ前記ガイド面の搬送幅方向を二等分する中央線に対し対称に配設したものである。
【００１６】
これにより、用紙のスキューの発生を防止することができる。
【００１７】
請求項６の発明は、請求項５に記載の画像形成装置において、前記ガイドリブと前記補助リブを、それぞれ前記ガイド面の前記中央線の両側に配設したものである。
【００１８】
言い換えれば、前記中央線上にガイドリブと補助リブを設けないことで、用紙の搬送性が安定する。
【００１９】
請求項７の発明は、請求項６に記載の画像形成装置において、隣り合った前記ガイドリブの間隔寸法のうち、搬送幅方向の中央に位置する前記間隔寸法を、それ以外の前記間隔寸法よりも大きく設定したものである。
【００２０】
このように設定したことで、用紙を安定して搬送することができる。
【００２１】
請求項８の発明は、請求項１から７のいずれか１項に記載の画像形成装置において、前記補助リブを配設した前記ガイド面を、前記搬送路の屈曲部に配置したものである。
【００２２】
特に屈曲する部分で搬送される用紙は、ガイド面に強く圧接されることが多い。このように用紙が強く圧接される箇所に補助リブを配設すれば、用紙の接触圧を低減して搬送することができる。
【００２３】
請求項９の発明は、請求項１から８のいずれか１項に記載の画像形成装置において、前記補助リブを、官製はがきの搬送幅方向領域内に配設したものである。
【００２４】
一般に、厚くコシの強い用紙で作製される官製はがきは、搬送途中にガイドリブに強く圧接して表面にスジ状の傷が付き易い。本発明では、この官製はがきの搬送幅方向領域内に補助リブを設けることで、官製はがきを補助リブに搬送幅方向に広く接触させて、接触圧を低減させると共に、官製はがきがガイドリブに強く圧接することを防止している。
【００２５】
請求項１０の発明は、請求項１から９のいずれか１項に記載の画像形成装置において、前記補助リブを、前記ガイド面の搬送幅方向を二等分する中央線から幅方向両側へ５０ｍｍ以内に配設したものである。
【００２６】
つまり、幅寸法が１００ｍｍである官製はがきの搬送幅方向領域内に、補助リブを配設して、官製はがきを補助リブに接触させて接触圧を低減させると共に、官製はがきがガイドリブに強く圧接することを防止している。
【００２７】
請求項１１の発明は、用紙を搬送する搬送路を有する用紙搬送装置と、前記搬送路の途中で用紙に画像を形成する作像部を備え、前記搬送路の屈曲部を形成した凹ガイド面に、両面印刷用の反転路の入口を形成し、前記搬送路の上流側から前記反転路の入口へ至る分岐直前部のガイド面に、搬送方向に延びるガイドリブを搬送幅方向に複数並設した画像形成装置において、前記ガイドリブの近傍のガイド面上に、用紙に対し前記ガイドリブよりも搬送幅方向に接触範囲が大きい補助リブを配設したものである。
【００２８】
用紙を補助リブに搬送幅方向に広く接触させることで、接触圧を低減させて搬送すると共に、用紙がガイドリブに強く圧接することを防止する。また、用紙がガイド面に強く圧接される屈曲部付近に補助リブを配設することで、上記接触圧の低減効果が十分に発揮される。
【００２９】
請求項１２の発明は、請求項１１に記載の画像形成装置において、前記ガイドリブ及び前記補助リブが用紙と接触するそれぞれの最下流の接触端部のうち、前記ガイド面の搬送幅方向の中央寄りにある前記接触端部を、前記搬送幅方向の中央から幅方向両側へ離れた位置にある前記接触端部より上流側に配置したことを特徴とする請求項１０に記載の画像形成装置。
【００３０】
用紙が、前記中央から離れた接触端部を通過する直前では、前記中央寄りの接触端部を抜け出ているので、用紙の後端縁の幅方向中央付近が、膨出して撓む。そして、用紙の後端縁が前記中央から離れた接触端部を抜けると、屈曲状態にある用紙の復元作用により、その後端縁が撓んだまま速やかに復帰し対向するガイド面に当接する。この時、対向するガイド面に、用紙の撓んだ後端縁がその幅方向中央から左右両端側へ順に柔らかく接触していくので、用紙後端とガイド面との衝突音を軽減することができる。
【００３１】
請求項１３の発明は、用紙を搬送する搬送路を有する用紙搬送装置と、前記搬送路の途中で用紙にトナー画像を転写する作像部と、前記作像部によって形成された用紙上のトナー画像を加熱定着する定着装置を備え、前記定着装置の上方にある前記搬送路を形成したガイド面に搬送方向に延びるガイドリブを搬送幅方向に複数並設した画像形成装置において、前記ガイドリブの近傍の前記ガイド面上に、用紙に対し前記ガイドリブよりも搬送幅方向に接触範囲が大きい補助リブを配設し、前記補助リブと用紙が搬送幅方向に線接触するように、又は、搬送幅方向に複数箇所で点接触するように構成した。
【００３２】
用紙を補助リブに搬送幅方向に広く接触させることで、接触圧を低減させて搬送すると共に、用紙がガイドリブに強く圧接することを防止する。また、定着装置の上方では、用紙にトナー画像を加熱定着させるときに発生する水蒸気により、ガイド面に結露が生じることがあるが、用紙を補助リブに線接触又は点接触させることにより、用紙がガイド面に付着した水滴で濡れる虞がない。
【発明の効果】
【００３３】
本発明の画像形成装置によれば、補助リブを設けたことにより、用紙との接触圧を低減させる共に、用紙がガイドリブに強く圧接することを防止することができるので、簡単な構成にて用紙表面にスジ状の傷が発生するのを防止することができる。これにより、用紙の表面の体裁を良くし、形成した画像の品質を向上させることができる。そして、本発明の構成は、特にコシの強い用紙に画像を形成する場合や、両面印刷を行う場合に効果的である。
【発明を実施するための最良の形態】
【００３４】
以下、本発明の実施の形態を添付図面を参照して説明する。
【００３５】
図１は、カラー画像形成装置の概略を示す断面図であり、以下同図に基づいて、この画像形成装置の主要部を説明する。画像形成装置には、シート状記録媒体としての用紙を搬送する搬送路１ａを備えた用紙搬送装置１と、その用紙搬送装置１にて搬送される用紙に画像を形成する作像部２がある。この作像部２は、カラー画像の色分解成分に対応するイエロー、マゼンタ、シアン、ブラックの各色の現像剤としてのトナーによって画像を形成するものであり、用紙搬送装置１の搬送路１ａの途中には、作像部２にて用紙に形成されたトナー画像を加熱定着するための定着装置３を備えている。
【００３６】
作像部２は、像担持体４（感光体ドラム）と、像担持体４の表面を帯電させる帯電体５と、像担持体４の表面を露光する露光器６と、像担持体４の表面にトナー画像を形成する現像装置７と、そのトナー画像を用紙に転写する転写装置８を主な構成要素としている。そして、前記像担持体４と、帯電体５と、現像装置７等を画像形成ユニットとして一体的に有するプロセスカートリッジＡ（第１プロセスカートリッジＡ１〜第４プロセスカートリッジＡ４）を、カラー画像の各色に対応して４つ備え、各プロセスカートリッジＡは、画像形成装置本体に着脱自在に装着されている。また、各プロセスカートリッジＡ内には、像担持体４の表面に残留するトナーを除去するクリーニングブレード１０と、除去した廃トナーをプロセスカートリッジＡ内の回収部１１へと搬送するトナー搬送手段１２を設けている。
【００３７】
転写装置８は、各像担持体４に対向する４つの１次転写ローラ９３ａ，９３ｂ，９３ｃ，９３ｄと、各１次転写ローラ９３ａ，９３ｂ，９３ｃ，９３ｄと駆動ローラ９１及び従動ローラ９２に掛け渡され循環走行する中間転写ベルト９と、駆動ローラ９１に対向して配置した２次転写ローラ９４を有する。
【００３８】
画像形成装置の下部には、用紙を多数枚収容可能な給紙カセット１３と、給紙カセット１３から用紙を送り出す給紙ローラ１４が設けてある。給紙ローラ１４の少し下流の搬送路１ａには、用紙を一旦停止させる一対のレジストローラ１５ａ，１５ｂが配設されている。また、画像形成装置本体の上部に形成した排紙口１６には、用紙を排出する手段としての一対の排紙ローラ１７ａ，１７ｂが設けられている。そして、排出口１６の下方には、画像形成装置の上部カバーの一部を内方へ凹ませた排紙トレイ１８が設けられている。
【００３９】
また、図１に示す画像形成装置は、両面印刷機構を有するものであり、両面印刷用の反転路１ｂを、排出口１６付近の搬送路１ａから分岐して設けてある。図１では、搬送路１ａの屈曲部を形成した凹ガイド面に反転路１ｂの入口２７を開設している。反転路１ｂは、画像形成装置の下部のレジストローラ対１５ａ，１５ｂの下方で搬送路１ａに合流しており、反転路１ｂの途中には、一対の搬送ローラ１９ａ，１９ｂが配設されている。
【００４０】
この画像形成装置における基本的な作像動作について説明する。まず、帯電体５にて像担持体４の表面を均一な高電位に帯電させる。次に、画像データに基づいて露光器６から像担持体４の表面にレーザビーム（Ｌ１〜Ｌ４）が照射され、照射された部分の電位が低下して静電潜像が形成される。この静電潜像が形成された各像担持体４の表面部分に、現像装置７からトナーを転移させ、各色のトナー画像を形成（現像）する。そして、各像担持体４上の各色トナー画像が重なり合うように中間転写ベルト９に転写され、この重畳転写したトナー画像を、給紙カセット１３から送られてきた用紙に２次転写ローラ９４によって転写する。その後、トナー画像を転写された用紙は定着装置３へと搬送され、用紙のトナー画像が加熱定着されて、画像形成装置本体の上部にある排紙口１６から排紙トレイ１８へ排出される。
【００４１】
一方、転写終了後の各像担持体４の表面に残留するトナーは、クリーニングブレード１０によって掻き落とされ、掻き落とされた廃トナーはトナー搬送手段１２によって回収部１１へ送られ貯蔵される。
【００４２】
また、両面印刷する場合について、図１とその要部を示す図２、図３、図４を参照して説明する。まず、上述した作像動作と同様にして用紙の片面に画像を形成する。定着装置３を通過した用紙は、定着装置３の上方つまり搬送方向の下流側にあるガイド部材２０に案内され、図２の矢印（ア）に示すように排紙口１６へと送られる。搬送路１ａは排紙口１６近くで屈曲しているので、図３に示すように、用紙Ｐは搬送路１ａの屈曲部に沿って屈曲し、ガイド部材２０の下流側の端部（上端部）に摺接しながらその一部が排紙口１６から外部に出るように排紙ローラ対１７ａ，１７ｂにて送り出される。そして、図４に示すように、用紙Ｐの後端がガイド部材２０を抜けると、屈曲状態にある用紙Ｐの復元作用により、用紙Ｐの後端が二点鎖線で示す如く跳ね上がって反転路１ｂの入口へと向く。この状態で、排紙ローラ１７ａ，１７ｂが逆回転して、用紙Ｐをスイッチバックさせて再び内部に引き込む。すなわち、用紙のこれまで後端側だった部位を先端側として図２の矢印（イ）の方向に逆進させて、ガイド部材２０にて反転路１ｂ内に案内して進入させる。
【００４３】
そして、反転路１ｂ内を搬送される用紙は、搬送ローラ対１９ａ，１９ｂを経て、レジストローラ対１５ａ，１５ｂに至り、中間転写ベルト９上に形成された裏面用の画像とタイミングを合わせて送り出され、２次転写ローラ９４を通過する際に用紙の裏面に画像が転写される。このように、両面に画像が形成された用紙は、定着装置３を通過することにより裏面の画像が定着され、排紙ローラ対１７ａ，１７ｂにより排紙口１６から排紙トレイ１８へと排出される。
【００４４】
上述のように、本発明の画像形成装置には、用紙を排紙する場合と、反転させる場合の両方の場合でガイドするガイド部材２０が設けられており、以下、このガイド部材２０の構成について詳細に説明する。
【００４５】
図２において、ガイド部材２０は、画像形成装置本体の前方側、言い換えれば装置本体の外側に配設された外側ガイド面２１と、外側ガイド面２１よりも後方、つまり装置本体の内側に配設された内側ガイド面２２との間に設けられている。そして、ガイド部材２０は、内側ガイド面２２と対面して搬送路１ａを形成するガイド面２０ａ（以下、排紙ガイド面という）と、外側ガイド面２１と対面して反転路１ｂを形成するガイド面２０ｂ（以下、反転ガイド面という）を有する。
【００４６】
図５は、ガイド部材２０を排紙ガイド面２０ａ側から見た斜視図であり、同図に示すように、排紙ガイド面２０ａには、搬送方向に延びるガイドリブ２３が搬送幅方向に複数並設されている。図５において、上方が用紙搬送方向の下流である。排紙ガイド面２０ａの下流端縁は、図２で示す、排紙ガイド面２０ａの搬送路１ａの上流から反転路１ｂの入口２７へ至る分岐直前部３０に相当する。この分岐直前部３０ないし下流端縁には、前記ガイドリブ２３よりも搬送幅方向に太く、かつ、搬送方向に短い補助リブ２４が、搬送幅方向に４つ並設されている。
【００４７】
図６の（ａ）はガイドリブ２３を搬送幅方向に切断した横断面図である。同図に示すように、ガイドリブ２３の先端は弧状又は円弧状に形成され、その頂点部２５にて用紙と接触する。また、図６の（ｂ）は補助リブ２４を搬送幅方向に切断した横断面図であり、その横断面図において、補助リブ２４はその先端の搬送幅方向に延びる直線部２６にて用紙と接触する。この図６の（ａ）と（ｂ）からわかるように、補助リブ２４は、用紙に対しガイドリブ２３よりも搬送幅方向に接触範囲が大きくなるように形成されている。
【００４８】
この用紙搬送装置は、複数種類のサイズの用紙を搬送可能であり、その用紙サイズにかかわらず用紙の幅方向二等分線を、図５の一点鎖線Ｃに一致させて搬送するように構成されたものである。つまり、一点鎖線Ｃは、排紙ガイド面２０ａの搬送幅方向を二等分する中央線である。そして、各サイズの用紙のスキューを防止するために、前記ガイドリブ２３と補助リブ２４は、中央線Ｃに対し両側に対称（線対称）に配設されている。また、この場合、４つの全ての補助リブ２４は、ガイドリブ２３に隣接して設けてあり、各補助リブ２４はそれぞれの隣接するガイドリブ２３から中央線Ｃ側に寄って配置されている。
【００４９】
図７はガイドリブ２０の背面図、つまり排紙ガイド面２０ａ側から見た図であり、符号Ｈで示す搬送幅方向の領域は、官製はがきの搬送幅方向領域である。４つ全ての補助リブ２４は、この官製はがきの搬送幅方向領域Ｈ内に配設されている。具体的には、官製はがきの横幅は１００ｍｍであるので、補助リブ２４は中央線Ｃから搬送幅方向両側へ５０ｍｍ以内に配設されている。官製はがきの搬送幅方向領域Ｈには、ガイドリブ２３が３対配設され、補助リブ２４は中央線Ｃから両側に１番目と３番目の対のガイドリブ２３に隣接している。
【００５０】
また、官製はがきの搬送幅方向領域Ｈ内の隣り合ったガイドリブ２３の間隔寸法Ｗ１，Ｗ２，Ｗ３のうち、搬送幅方向の中央に位置する間隔寸法Ｗ１を、それ以外の間隔寸法Ｗ２，Ｗ３よりも大きく設定することが望ましい。さらに、中央の間隔寸法Ｗ１を、排紙ガイド面２０ａの搬送幅方向全域の中の他の間隔寸法Ｗ５，Ｗ６よりも大きく設定することが望ましい。なお、図７において、ガイドリブ２３は中央線Ｃに線対称に配置されているので、間隔寸法Ｗ２〜Ｗ６は片側（左側）のみ図示している。
【００５１】
図７に示すように、中央線Ｃから搬送幅方向の両側へ離れた位置にあるガイドリブ２３ａは、中央線Ｃ寄りのガイドリブ２３ｂ・補助リブ２４よりも、図面の上方である下流側へ延伸し、あるいは突出して設けられている。すなわち、ガイドリブ２３と補助リブ２４を含む全てのリブのうち、中央線Ｃ寄りのリブの下流端部を、中央線Ｃから離れたリブの下流端部より上流側へ（低く）配置している。
【００５２】
詳しくは、図２に示すように、用紙（特にその後端）と接触する補助リブ２４の最下流の接触端部Ｔを、用紙（特にその後端）と接触する中央線Ｃから離れたガイドリブ２３ａの最下流の接触端部Ｓより上流側に配置してある。また、用紙（特に後端）と接触する中央線Ｃ寄りのガイドリブ２３ｂの最下流の接触端部も、補助リブ２４の接触端部Ｔとほぼ同じ位置にあり（図示省略）、中央線Ｃから離れたガイドリブ２３ｂの最下流の接触端部Ｓより上流側へ配置してある。
【００５３】
このように構成したガイド部材２０の作用について説明する。図３に示すように、用紙Ｐが排紙口１６へと搬送される場合は、用紙Ｐは搬送路１ａの屈曲部に沿って屈曲し、ガイド部材２０の下流端に設けた補助リブ２４に摺接しながらその一部が排紙口１６から外部に出るように搬送される。搬送中の用紙Ｐと補助リブ２４とを搬送幅方向に線接触させることで、接触圧を低減させている。そして、用紙Ｐが補助リブ２４に接触している状態では、用紙Ｐは補助リブ２４の近傍にあるガイドリブ２３とは接触せず、用紙Ｐとガイドリブ２３との間には僅かな間隙２８がある。また、補助リブ２４が用紙Ｐと接触した状態において、補助リブ２４の近傍のガイドリブ２３が用紙Ｐと接触していても、ガイドリブ２３と用紙Ｐとの接触圧が、補助リブ２４と用紙Ｐとの接触圧と同じかそれより小さければよい。
【００５４】
なお、補助リブと用紙との接触範囲（接触面積）を大きくし過ぎると、用紙の搬送抵抗が大きくなったり、補助リブに結露による水滴が付着し易くなる傾向が生じる。逆に、補助リブと用紙との接触範囲が小さ過ぎると、接触圧を低減させる効果を十分に発揮できない。このことから、補助リブと用紙との接触範囲は、これらの問題を生じない範囲で設定することが望ましい。なお、補助リブと用紙とは線接触でなく、面接触であってもよい。
【００５５】
用紙Ｐがさらに排紙方向へ送られると、用紙Ｐの後端は、先に補助リブ２４の最下流の接触端部Ｔ及び中央（中央線Ｃ）寄りガイドリブ２３ｂの最下流の接触端部を通過し、次に中央（中央線Ｃ）から離れたガイドリブ２３ａの最下流の接触端部Ｓを通過する。この接触端部Ｓを通過する直前では、ガイド部材２０を反転ガイド面２０ｂ側（正面側）から見た図８に示すように、用紙Ｐの後端の幅方向中央付近は、すでに補助リブ２４と中央寄りガイドリブ２３ｂを通過しているので、これらによる押えがなくなる。一方、用紙Ｐの後端の左右端は、中央から離れたガイドリブ２３ａに押えられているので、結果的に用紙Ｐの後端縁は幅方向中央付近が手前へ膨出して撓む。
【００５６】
そして、用紙Ｐの後端が、ガイド部材２０の中央から離れたガイドリブ２３ａを抜けると、屈曲状態にある用紙Ｐの復元作用により、用紙Ｐの後端が跳ね上がって対向する外側ガイド面２１に衝突する（図４参照）。このとき、用紙Ｐの後端縁は上述の通りガイド面２１に臨んで凸状に撓んでいるので、用紙Ｐが跳ね上がったときに用紙Ｐのまず幅方向中央から外側ガイド面２１に当接し、それから幅方向の左右両側へと順に柔らかく当接していく。
【００５７】
従来の画像形成装置においても、ガイド部材２０の排紙ガイド面２０ａに複数条のガイドリブが配設されていたが、全てのガイドリブの用紙と接触する最下流の接触端部は、搬送方向に同じ位置に配置されていた。従って、ガイドリブを通過したときの用紙の後端縁は、撓まずにストレート状であり、このストレート状の後端縁が対向する外側ガイド面２１に衝突した際に発生する音が大きかった。これに対し、本発明では、ガイド部材２０を通過した用紙の後端縁を撓ませて外側ガイド面２１に用紙の中央から柔らかく当接させることで、衝突音の発生を軽減し、従来の音の問題を解消している。
【００５８】
また、中央から離れたガイドリブ２３ａの接触端部Ｓ（図２参照）を、下流へ延伸して配設したことで、用紙の後端が、そのガイドリブ２３ａの接触端部Ｓ通過してから、外側ガイド面２１に当接するまでの経路が短くなり、外側ガイド面２１との衝突音を軽減することに繋がる。
【００５９】
また、搬送路１ａを搬送される用紙の先端は、中央から離れたガイドリブ２３ａで案内され、図９に示す（ウ）の経路で搬送される。この下流へ延伸したガイドリブ２３ａがあることにより、用紙が（エ）の経路で送られて外側ガイド面２１に衝突してジャムになるのを防止している。
【００６０】
この用紙搬送装置で搬送する最小サイズの用紙である官製はがきの搬送幅方向領域Ｈ内にも（図７参照）、ジャム防止のために、下流へ延伸したガイドリブ２３ａを少なくとも一対は設ける必要がある。また、官製はがきのようにコシの強い用紙は、上記外側ガイド面２１への衝突音を低減させるために、用紙の後端縁を十分撓ませることも重要であり、下流へ延伸したガイドリブ２３ａは、なるべく中央から搬送幅方向に離れた位置に設けることが好ましい。従って、この実施形態では、図７に示すように、官製はがきの搬送幅方向領域Ｈ内において、下流側へ延伸したガイドリブ２３ａは、官製はがきの領域Ｈの左右境界近傍に一対設けられ、例えば、中央線Ｃから搬送幅方向両側へ４７ｍｍの位置に配設してある。
【００６１】
また、用紙がガイド部材２０を通過する際に、用紙の後端縁を十分撓ませるには、ガイド部材２０の排紙ガイド面２０ａの前記中央線Ｃ上には（図７参照）、ガイドリブ２３や補助リブ２４は配設しない方が好ましい。しかし、前記中央線Ｃ上にガイドリブ２３や補助リブ２４を設けた場合であっても、用紙と接触する当該リブの最下流の接触端部が、中央から離れたガイドリブ２３ａの最下流の接触端部より上流側にあればよい。
【００６２】
前記補助リブ２４は、用紙に対しガイドリブ２３よりも搬送幅方向に接触範囲が大きいものであれば上述した形態に限らない。例えば、図１０の横断面図に示すように、補助リブ２４の先端に搬送方向に延びる小凸部２９を搬送幅方向に複数形成し、各小凸部２９の弧状又は円弧状の先端にて搬送幅方向に複数箇所で点接触するように構成してもよい。さらに、図１１に示すように、前記小凸部２９をそれぞれ独立して形成し、これら小凸部２９を密に配置した集合体をひとつの補助リブ２４としてもよい。
【００６３】
補助リブ２４は、搬送路１ａや反転路１ｂ内で、特に用紙が強く圧接する箇所に配設することで、用紙との接触圧を低減する効果が顕著に発揮される。すなわち、用紙搬送路内の屈曲部、あるいは、その屈曲部を中心として搬送路の上流側と下流側に延在する用紙の長さ領域内に、補助リブ２４を配設するとよい。用紙の一部が屈曲部に当接すると当該用紙の他の部分にも屈曲作用が及ぶからである。
【００６４】
本発明は上述の実施形態に限定されるものではなく、本発明の要旨を逸脱しない範囲で種々の変更を加え得ることは勿論である。例えば、補助リブ２４を、上記図面に示した以外の搬送路のガイド面や反転路のガイド面に配設してもよい。また、本発明の構造を、印字ヘッドのインク吐出口からシート状記録媒体にインクを吐出して画像を形成するインクジェット方式の画像形成装置に適用してもよい。
【図面の簡単な説明】
【００６５】
【図１】本発明に係る画像形成装置の一実施形態を示す概略断面図である。
【図２】前記画像形成装置の要部断面図である。
【図３】用紙を搬送する様子を示した要部断面図である。
【図４】用紙を搬送する様子を示した要部断面図である。
【図５】ガイド部材の背面斜視図である。
【図６】ガイド部材の要部横断面図であって、（ａ）はガイドリブの横断面図、（ｂ）は補助リブの横断面図である。
【図７】前記ガイド部材の背面図である。
【図８】前記画像形成装置の一部外カバーを外した状態を示す要部斜視図である。
【図９】用紙を搬送する様子を示した要部断面図である。
【図１０】補助リブの他の実施形態を示す横断面図である。
【図１１】補助リブのさらに別の実施形態を示す横断面図である。
【符号の説明】
【００６６】
１  用紙搬送装置
１ａ  搬送路
１ｂ  反転路
２  作像部
３  定着装置
４  像担持体
５  帯電体
６  露光器
７  現像装置
８  転写装置
２０  ガイド部材
２３  ガイドリブ
２４  補助リブ
２７  入口
Ｃ  中央線
Ｈ  官製はがきの搬送幅方向領域
Ｓ  接触端部
Ｔ  接触端部
【図１】
2008189393.tif 000003
【図２】
2008189393.tif 000004
【図３】
2008189393.tif 000005
【図４】
2008189393.tif 000006
【図５】
2008189393.tif 000007
【図６】
2008189393.tif 000008
【図７】
2008189393.tif 000009
【図８】
2008189393.tif 000010
【図９】
2008189393.tif 000011
【図１０】
2008189393.tif 000012
【図１１】
2008189393.tif 000013